(57)【要約】【課題】吸込み口本体の移動方向前方の塵を吸塵しつつ絨毯上を軽く移動させることが可能な吸込み口体を提供することにある。【解決手段】吸込み口本体が有した吸塵開口の前側に取付けた開閉部材２４が、開閉部材本体４６、通気部５０ａ、５０ｂ、反転付与部材４７、及び抵抗低減体４８を備える。本体４６は、吸込み口本体の前後移動に連動して反転自在に吸込み口本体に取付けられている。通気部５０ａ、５０ｂは、吸塵開口の前方からの被掃除面に沿う吸塵開口への吸込みを許すように本体４６に設けられている。反転付与部材４７は、吸込み口本体の前後移動に伴い被掃除面と接触して本体４６を反転させるように本体４６の外周に設けられている。抵抗低減体４８は、部材４７より被掃除面との抵抗が小さく、反転付与部材４７の表面よりより退いて開閉部材本体４６に設けられている。【選択図】    図６
2004350763.tif 000002
【特許請求の範囲】
【請求項１】
吸込み口本体が有した吸塵開口の前側に取付けた開閉部材によって、前記吸塵開口の前方からの被掃除面に沿う前記吸塵開口への吸込みを、前記吸込み口本体の前進時に許すとともに前記吸込み口本体の後退時に抑制する吸込み口体であって、
前記開閉部材が、
前記吸込み口本体にこの本体の前後移動に連動して反転自在に取付けられた開閉部材本体と、
この開閉部材本体に設けられ前記吸塵開口の前方からの被掃除面に沿う前記吸塵開口への吸込みを許す通気部と、
前記開閉部材本体の外周に設けられ、前記吸込み口本体の前後移動に伴い被掃除面と接触して前記開閉部材本体を反転させる反転付与部材と、
この反転付与部材の表面より退いて前記開閉部材本体に設けられ、前記反転付与部材より被掃除面との抵抗が小さい抵抗低減体と、
を具備した吸込み口体。
【請求項２】
請求項１に記載の吸込み口体において、前記抵抗低減体がローラ製である。
【請求項３】
請求項１又は２に記載の吸込み口体において、前記抵抗低減体がその表面が被着された軟質材料層を有している。
【請求項４】
掃除機本体内の電動送風機の動作により、前記掃除機本体の集塵部に連通された吸込み口体の吸塵開口から被掃除面の塵を空気とともに吸込み、吸込んだ塵を前記集塵部に捕捉する電気掃除機において、前記吸込み口体に請求項１から３の内のいずれか１項に記載の吸込み口体を用いた電気掃除機。
【発明の詳細な説明】
【０００１】
【発明の属する技術分野】
本発明は、被掃除面上の塵を取込む吸込み口体、及びこの吸込み口体を備えた電気掃除機に関する。
【０００２】
【従来の技術】
従来、被掃除面と対向する吸塵開口を有した吸込み口体の前進時に、前方の塵を吸込み口体が押し動かすことを抑制しつつ、前方の塵の吸込みができる吸込み口体が本出願人により開発され、既に出願済みである（例えば特許文献１参照。）。
【０００３】
この特許文献１の吸込み口体では、通気部及び外周に被掃除面を拭く拭き部材を有した開閉部材を、吸込み口本体の吸塵開口の前側にこの吸込み口本体の前後移動に連動して反転自在に取付けている。吸込み口本体の前進時には、開閉部材に設けた抵抗手段と被掃除面との抵抗により、通気部を通しての吸塵開口の前方からの被掃除面に沿う吸塵開口への吸込みを許す位置に開閉部材が所定角度回転し、吸込み口体の後退時には、抵抗手段と被掃除面との抵抗により、吸塵開口の前方からの被掃除面に沿う吸塵開口への吸込みを抑制する位置に開閉部材が反転する。このため、吸込み口本体の前進時にはその前方の塵を押し動かすことなく吸塵できる。
【０００４】
【特許文献１】
特願２００２−２８７８００（請求項２及び３、段落０００７−００５０、図２−図６）
【０００５】
【発明が解決しようとする課題】
特許文献１の吸込み口体が備える開閉部材は、同文献１の図４に示されているように、円弧面を有した断面Ｄ字状部分、外周が被掃除面に接する断面円形状部分、及び前記両部分で区画される通気部を有して、外周面に起毛布等の拭き部材を設けているとともに、断面円形状部分の外周には起毛布等からなる抵抗手段を設けている。
【０００６】
掃除の際には、開閉部材の断面円形状部分の外周が被掃除面に接して吸込み口体が被掃除面上に支持される。この吸込み口体を前進させる際には斜め下向きの力が延長管等を介して加わるので、吸込み口体本体の前部が絨毯に沈み込み易い。このため、毛足の長い絨毯等を掃除する場合を考慮すると、吸込み口本体の前部が絨毯に深く沈み込むことを抑制する必要から、開閉部材の断面円形状部分はある程度以上大きく形成する必要がある。しかし、断面円形状部分の外周には起毛布等の抵抗手段が設けられていて、この抵抗手段は被掃除面との抵抗で開閉部材をその前後移動に連動して反転させるために使用されている。
【０００７】
このため、吸込み口体を移動させる際、断面円形状部分の外周の抵抗手段と絨毯との接触による抵抗が大きく、吸込み口体を軽く移動させることが抑制されるので、その改善が臨まれている。
【０００８】
本発明が解決しようとする課題は、吸込み口本体の移動方向前方の塵を吸塵しつつ絨毯上を軽く移動させて掃除することが可能な吸込み口体及びこの吸込み口体を備えた電気掃除機を得ることにある。
【０００９】
【課題を解決するための手段】
前記課題を解決するために、本発明は、吸込み口本体が有した吸塵開口の前側に取付けた開閉部材が、吸込み口本体の前後移動に連動して反転自在に吸込み口本体に取付けられた開閉部材本体と、この開閉部材本体に設けられ吸塵開口の前方からの被掃除面に沿う吸塵開口への吸込みを許す通気部と、開閉部材本体の外周に設けられ、吸込み口本体の前後移動に伴い被掃除面と接触して開閉部材本体を反転させる反転付与部材と、反転付与部材の表面より退いて開閉部材本体に設けられ、前記反転付与部材より被掃除面との抵抗が小さい抵抗低減体とを備えたものである。
【００１０】
本発明では、絨毯に対する反転付与部材と抵抗低減体との合計接触面積により、吸込み口本体の前部が絨毯に深く沈み込むことを抑制しつつ、吸込み口本体を前進させる際の絨毯との抵抗を抵抗低減体により減らすことができる。そして、吸込み口本体の前後移動に伴って、絨毯等の被掃除面への反転付与部材の接触によりこの反転付与部材と被掃除面との抵抗で開閉部材を反転させ、吸込み口本体の前進時に吸塵開口の前方の塵を被掃除面に沿うように通気部に通して吸塵開口へ吸込むことができる。
【００１１】
【発明の実施の形態】
以下、図１〜図６を参照して本発明の第１実施形態を説明する。
【００１２】
図１に例示するキャニスタ型の電気掃除機１は、掃除機本体２と、これに内蔵された電動送風機３と、フローリング床面や絨毯等の被掃除面Ｆから吸込んだ含塵空気を掃除機本体２内に導く気流ガイド７と、吸込み口体２０とを具備している。
【００１３】
移動車輪６が取付けられている掃除機本体２は、例えば集塵室からなる集塵部４と、この集塵部４に対する空気の流れ方向の上流側に位置する吸込み口５とを有している。掃除機本体２内には、集塵部４に対する空気の流れ方向の下流側、例えば掃除機本体２の後部に位置して電動送風機３が配置されている。
【００１４】
気流ガイド７は、例えば可撓性の吸塵ホース８と、例えば伸縮式で硬質な延長管１０とを備えている。吸塵ホース８の一端部８ａは吸込み口５に着脱可能に差込み接続される。吸塵ホース８の他端部８ｂは手元操作部９で形成され、この操作部９が有するハンドル９ａには各種の操作スイッチ９ｂが取り付けられている。延長管１０の一端部１０ａは手元操作部９の先端嵌合筒部９ｃに着脱可能に接続される。延長管１０の他端部１０ｂ又は手元操作部９の先端嵌合筒部９ｃには、吸込み口体２０が選択的に着脱可能に接続される。
【００１５】
電気掃除機１の電動送風機３を駆動させることにより、この電動送風機３に吸い込まれる気流が形成される。それによって、吸込み口体２０が被掃除面Ｆの塵を空気とともに吸込んで、それを、延長管１０及び吸塵ホース８の内の少なくとも吸塵ホース８を経由させて掃除機本体２の集塵部４に導き、この集塵部４内に着脱可能に収容された集塵袋等のフィルタ４ａで前記塵を捕捉できる。
【００１６】
集塵部４は、掃除機本体２に着脱されて、その装着状態でサイクロン式の集塵をする集塵カップで形成することもできる。フィルタ４ａを通過した空気は、電動送風機３に吸込まれてこの電動送風機３から排出された後、掃除機本体２に設けた排気口（図示せず）を通して掃除機本体２の外部に排出される。以上により被掃除面Ｆを掃除できる。
【００１７】
図２〜図６を参照して吸込み口体２０を説明する。この吸込み口体２０は、吸込み口本体２１、接続管２２、回転清掃体２３、及び前後一対の開閉部材２４、２５等を備えている。
【００１８】
図２及び図３に示すように吸込み口本体２１は、この本体２１の上部外郭をなす第１のケース部材３０と、吸込み口本体２１の下部及び後部の外郭をなす第２のケース部材３１とを、これらの間に中継ケース部材３２を挟み込んで互いに連結してなるケースを備えている。
【００１９】
ケース部材３１は、その幅方向中央部に位置して前後方向両端を開口した筒部３１ａを有している。筒部３１ａの後部には、管継手３５が筒部３１ａの外周に沿って周方向に回転可能に取付けられている。この管継手３５には吸込み口本体２１の幅方向中央部に設けられる接続管２２が接続されている。接続管２２は、筒部３１ａを通して吸込み口本体２１のケース内、つまり本体内空間部２１ａに連通されている。この接続管２２は、管継手３５側の接続端部を中心として起倒するように回動可能に設けられている。
【００２０】
図２及び図３中符号３５ａは、管継手３５が一体に有する固定ガイド、符号３６は接続管２２の起倒に連動して固定ガイド３５ａ上を摺動する可動ガイドを夫々示している。両ガイド３５ａ、３６により、接続管２２が起こされた際に、筒部３１ａと接続管２２との間の気密が確保されるようになっている。接続管２２の自由端部は延長管１０又は吸塵ホース８に着脱可能に差し込み接続される。
【００２１】
ケース部材３１の被掃除面に対向する底壁部には吸塵開口３７が開けられている。吸塵開口３７は吸込み口本体２１の幅方向（図４及び図５で左右方向）に延びて形成されている。吸塵開口３７はそれより上方の本体内空間部２１ａに連通されている。前記底壁部には吸塵開口３７をその長手方向から挟むようにして固定拭き部材３８（図４及び図５参照）が貼付けられている。これら一対の固定拭き部材３８は例えば起毛布からなる。
【００２２】
前記底壁部は、吸塵開口３７の前側を区画する第１配置部４１と、吸塵開口３７の後側を区画する第２配置部４２とを有している。両配置部４１、４２は、吸塵開口３７と平行であって、いずれも図２及び図３に示すように断面略半円状で下方に開放する溝を作っており、その長手方向両端部は端壁４１ａ又は４２ａ（図４及び図５参照）で夫々閉じられている。
【００２３】
吸込み口体２０を被掃除面Ｆに沿って前方へ押し動かす際（前進時）に第１配置部４１の内側空間は、この配置部４１の吸塵開口３７に臨んだ開口縁と被掃除面Ｆとの間に作られる前側塵通過部４３を通じて吸塵開口３７に連通されている。したがって、掃除の際には、吸塵開口３７の前方に位置する被掃除面上の塵が、前側塵通過部４３を経て吸塵開口３７に吸込まれ、更に本体内空間部２１ａから筒部３１ａを通って接続管２２を経て気流ガイド７に吸込まれる。
【００２４】
同様に、吸込み口体２０を被掃除面Ｆに沿って後方へ引き動かす際（後退時）に第２配置部４２の内側空間は、この配置部４２の吸塵開口３７に臨んだ開口縁と被掃除面Ｆとの間に作られる後側塵通過部４４を通じて吸塵開口３７に連通されている。したがって、掃除の際には、吸塵開口３７の後方に位置する被掃除面Ｆ上の塵が、後側塵通過部４４を経て吸塵開口３７に吸込まれ、更に本体内空間部２１ａから筒部３１ａを通って接続管２２を経て気流ガイド７に吸込まれる。
【００２５】
回転清掃体２３は、両配置部４１、４２間の吸塵開口３７に収められて吸込み口本体２１に図示しない軸受を介して回転可能に取付けられている。この回転清掃体２３は、吸込み口本体２１内に組み込まれた図示しない電気モータを駆動源として回転駆動されるようになっている。なお、回転清掃体２３及びこれを回転駆動させる電気モータ等は省略してもよい。回転清掃体２３は、回転軸２３ａの外周にエラストマ製等の可撓性ブレードやブラシ等の清掃部材２３ｂを例えば螺旋状に取付けて形成されている。清掃部材２３ｂは、それが回転軸２３ａに対して、この軸２３ａの下方に移動された際に被掃除面Ｆにこの面を掃くように接する出幅を有している。
【００２６】
第１配置部４１には、吸込み口本体２１の前進時に吸塵開口３７の前方からの被掃除面Ｆに沿う吸塵開口３７への塵の吸込みを許し、吸込み口本体２１の後退時に吸塵開口３７の前方からの被掃除面Ｆに沿う吸塵開口３７への塵の吸込みを抑制する第１の開閉部材２４が反転自在に取付けられている。
【００２７】
詳しくは、図６に示すように開閉部材２４は、吸込み口本体２１の幅方向に延びる開閉部材本体（以下、本体と略称する。）４６と、反転付与部材４７と、１以上例えば複数の抵抗低減体４８と、拭き部材４９と、１以上例えば複数の通気部５０ａ、５０ｂとを備えている。
【００２８】
複数の本体構成部品を連結してなる本体４６は、外面に平坦面５１ａ又は５２ａとこれに周方向に連続する円弧面５１ｂ又は５２ｂとを有して断面Ｄ字状をなす（この断面を図２及び図３に示す。）第１及び第２の断面Ｄ字状部分５１及び５２、一対の断面Ｄ字状部分５２に一端に連続して形成された断面円形状部分５３、互いに隣接した断面Ｄ字状部分５１と断面円形状部分５３とを接続した一対の断面円形の連結軸部５４、及び本体４６の軸方向両端面中央から突出する取付け軸部５５を有している。
【００２９】
第２の断面Ｄ字状部分５２の平坦面５２ｂに対して直角に連続した断面円形状部分５３の略半円部位の外周に、反転付与部材４７が被着されている。この付与部材４７は被掃除面Ｆと接触し、この接触に伴う摩擦抵抗で本体４６を周方向に回転させるために設けられている。反転付与部材４７には例えば起毛布等のような布製の軟質部材を好適に使用できる。
【００３０】
抵抗低減体４８は各連結軸部５４に夫々取付けられている。抵抗低減体４８の被掃除面Ｆに対する抵抗は、反転付与部材４７の被掃除面Ｆに対する抵抗より小さい。このための一例として抵抗低減体４８は連結軸部５４の外周に嵌合して回転自在に支持されたローラで作られている。好ましい例として抵抗低減体４８は、その外周面に被着された軟質材料層４８ａを有している。軟質材料層５０ａにはゴムやエラストマ等の合成樹脂製の軟質部材、若しくは起毛布等のような布製の軟質部材を好適に使用できる。この軟質材料層４８ａを有することにより、万が一、抵抗低減体４８が被掃除面Ｆに当たった際、被掃除面Ｆが傷付くことを抑制できる。
【００３１】
ローラ製抵抗低減体４８の外径は、反転付与部材４７を含めた断面円形状部分５３の外径より小さく、これにより、抵抗低減体４８は反転付与部材４７の表面より本体４６の軸線Ｏ側に退いて設けられている。この退き寸法Ｐは、絨毯の掃除の際に絨毯の起毛を反転付与部材４７と抵抗低減体４８の周面（表面）と共に受けることができ、かつ、フローリング床の掃除の場合には抵抗低減体４８の周面（表面）がフローリング床に接しないように、例えば反転付与部材４７の厚み寸法程度に設定されている。
【００３２】
抵抗低減体４８の幅Ｑは、反転付与部材４７が被着された断面円形状部分５３の幅Ｒと同じかそれ以上大きくするとよい。幅Ｑを幅Ｒより大きくすることにより、絨毯を掃除する際には、反転付与部材４７が被着された断面円形状部分５３よりも大きい面積で抵抗低減体４８が絨毯の起毛に接触して、この抵抗低減体４８によって開閉部材２４の絨毯への沈み込みを主として担うことができる。
【００３３】
拭き部材４９は起毛布等のような布製の軟質部材で作られている。この拭き部材４９はフローリング床を拭くためのものであって、断面Ｄ字状部分５１、５２の円弧状面５１ｂ、５２ｂに夫々被着されている。
【００３４】
通気部５０ａは断面Ｄ字状部分５１とその両側の抵抗低減体４８とで区画されている。左右一対の通気部５０ｂは断面Ｄ字状部分５２とその片側の断面円形状部分５３とで区画されている。
【００３５】
前記構成の開閉部材２４が有した取付け軸部５５の周面には図示しないが回動範囲規制用突起が設けられている。一方、第１配置部４１の両端壁４１ａには、図示しない軸受部が夫々設けられ、これら軸受部は前記回動範囲規制用突起が遊嵌する回動範囲規制用溝を所定角度範囲にわたり有している。これら回動規制用の突起及び溝は、吸込み口体２０の前進時に通気部５０ａ、５０ｂを通して吸塵開口３７の前方からの被掃除面Ｆに沿う吸込みを許す開き位置と、吸込み口体２０の後退時に拭き部材４９を被掃除面Ｆに接触させて吸塵開口３７の前方からの被掃除面Ｆに沿う吸込みを抑制する閉じ位置とに、本体４６の回転を例えば９０°に規制できるように夫々形成されている。そして、軸受部の溝に取付け軸部５５の突起を嵌め込んだ状態で、これらの軸受部の夫々に取付け軸部５５を支持させることによって、第１配置部４１に上部が収容された開閉部材２４が前記開き位置と閉じ位置とにわたって反転可能に取付けられている。
【００３６】
第２配置部４２には、吸込み口本体２１の前進時に吸塵開口３７の後方からの被掃除面Ｆに沿う吸塵開口３７への塵の吸込みを抑制し、吸込み口本体２１の後退時に吸塵開口３７の後方からの被掃除面Ｆに沿う吸塵開口３７への塵の吸込みを許す第２の開閉部材２５が反転自在に取付けられている。
【００３７】
開閉部材２５は開閉部材２４と同じ構成である。したがって、開閉部材２４と同一構成については、同一符号を付して説明を省略する。一方、第２配置部４２の両端壁４２ａには図示しない軸受部が夫々設けられている。これら軸受部は、開閉部材２５が有した取付け軸部５５の周面の図示しない回動範囲規制用突起が遊嵌する回動範囲規制用溝を、所定角度範囲にわたり有している。これら回動規制用の突起及び溝は、吸込み口体２０の後退時に通気部５０ａ、５０ｂを通して吸塵開口３７の後方からの被掃除面Ｆに沿う吸込みを許す開き位置と、吸込み口体２０の前進時に拭き部材４９を被掃除面Ｆに接触させて吸塵開口３７の後方からの被掃除面Ｆに沿う吸込みを抑制する閉じ位置とに、本体４６の回転を例えば９０°に規制できるように夫々形成されている。そして、軸受部の溝に取付け軸部５５の突起を嵌め込んだ状態で、これらの軸受部の夫々に取付け軸部５５を支持させることによって、第２配置部４２に上部が収容された開閉部材２５が前記開き位置と閉じ位置とにわたって反転可能に取付けられている。
【００３８】
図２〜図５中符号６１はバンバー、符号６２は表面に起毛布が被着された車輪を夫々示している。
【００３９】
電気掃除機１を用いた掃除において、吸込み口体２０は、吸塵開口３７を被掃除面Ｆに対向させた状態で、この被掃除面Ｆに沿って前後に押し引きされる。
【００４０】
吸込み口体２０が被掃除面Ｆに沿って図２及び図４中矢印Ｘ方向に前進される時には、この吸込み口体２０と被掃除面Ｆとの関係は次の通りとなる。
【００４１】
つまり、開閉部材２４、２５は、その断面円形状部分５３の周面に被着されている反転付与部材４７とこれが接触している被掃除面Ｆとの抵抗により、夫々吸込み口体２０の前進に連動して、図２中時計回りに９０°回転されるとともに、それ以上の回転を回動範囲規制用の突起と溝とによって停止される。この状態を図２及び図４に示す。これにより、開閉部材２４は、この部材２４の通気部５０ａ、５０ｂを通して吸塵開口３７の前方からの被掃除面Ｆに沿う吸塵開口３７への吸込みを許す開き位置に保持され、開閉部材２５は、この部材２５の通気部５０ａ、５０ｂを通して吸塵開口３７の後方からの被掃除面Ｆに沿う吸塵開口３７への吸込みを抑制する閉じ位置に保持される。
【００４２】
このため、吸込み口体２０が前進される時には、移動方向前側に位置した開閉部材２４の通気部５０ａ、５０ｂが前側塵通過部４３と連通した状態となっていて、第１配置部４１に吸込み負圧が波及しているので、開閉部材２４よりも前側にある塵は、前方に押し動かされることなく第１配置部４１に円滑に取り込まれる。こうして取込まれた塵は、通気部５０ａ、５０ｂ及び前側塵通過部４３を通って吸塵開口３７に吸込まれ、更に、本体内空間部２１ａ及び筒部３１ａを経て、接続管２２を流通して気流ガイド７に吸込まれる。
【００４３】
一方、吸込み口体２０の前進時に、移動方向後側に位置した開閉部材２５は閉じ位置にあり、この部材２５の通気部５０ａ、５０ｂと後側塵通過部４４とは連通していない状態となっているとともに、開閉部材２５の拭き部材４９が被掃除面Ｆに接触している。このように吸込み口体２０の前進時には開閉部材２５が吸塵開口３７の後側近傍をシールするので、本体内空間部２１ａの負圧の減衰が抑制されるに伴い前方からの吸塵性能が高められる。更に、開閉部材２５の拭き部材４９が被掃除面Ｆに接触しているので、この拭き部材４９によってフローリング床などの被掃除面Ｆを拭き掃除できる。
【００４４】
吸込み口体２０が被掃除面Ｆに沿って図３及び図５中矢印Ｙ方向に後退される時には、この吸込み口体２０と被掃除面Ｆとの関係は次の通りとなる。
【００４５】
つまり、開閉部材２４、２５は、その断面円形状部分５３の周面に被着されている反転付与部材４７とこれが接触している被掃除面Ｆとの抵抗により、夫々吸込み口体２０の後退に連動して、図３中反時計回りに９０°回転されるとともに、それ以上の回転を回動範囲規制用の突起と溝とによって停止される。この状態を図３及び図５に示す。これにより、開閉部材２５は、この部材２５の通気部５０ａ、５０ｂを通して吸塵開口３７の後方からの被掃除面Ｆに沿う吸塵開口３７への吸込みを許す開き位置に保持され、開閉部材２４は、この部材２４の通気部５０ａ、５０ｂを通して吸塵開口３７の前方からの被掃除面Ｆに沿う吸塵開口３７への吸込みを抑制する閉じ位置に保持される。
【００４６】
このため、吸込み口体２０が後退される時には、移動方向前側に位置した開閉部材２５の通気部５０ａ、５０ｂが後側塵通過部４４と連通した状態となっていて、第２配置部４２に吸込み負圧が波及しているので、開閉部材２５よりも移動方向前側（この場合吸込み口体２０を向きの基準とすれば後側）にある塵は、前方（なお、吸込み口体２０を向きの基準とすれば後方）に押し動かされることなく第２配置部４２に円滑に取り込まれる。こうして取込まれた塵は、通気部５０ａ、５０ｂ及び後側塵通過部４４を通って吸塵開口３７に吸込まれ、更に、本体内空間部２１ａ及び筒部３１ａを経て、接続管２２を流通して気流ガイド７に吸込まれる。
【００４７】
一方、吸込み口体２０の後退時に、移動方向後側に位置した開閉部材２４は閉じ位置にあり、この部材２４の通気部５０ａ、５０ｂと前側塵通過部４３とは連通していない状態となっているとともに、開閉部材２４の拭き部材４９が被掃除面Ｆに接触している。このように吸込み口体２０の後退時には、開閉部材２４が吸塵開口３７の移動方向後側近傍をシールするので、本体内空間部２１ａの負圧の減衰が抑制されるに伴い移動方向前方からの吸塵性能が高められる。更に、開閉部材２４の拭き部材４９が被掃除面Ｆに接触しているので、この拭き部材４９によってフローリング床などの被掃除面Ｆを拭き掃除できる。
【００４８】
以上のように吸込み口体２０の前進時には、移動方向前側に位置した開閉部材２４の前方にある塵を吸塵開口３７に良好に吸込むことができると共に、移動方向後側に位置した開閉部材２５により被掃除面Ｆを拭き掃除しつつ、本体内空間部２１ａの負圧の減衰を抑制して移動方向前方からの吸塵力を高めることができる。同様に、吸込み口体２０の後退時には、移動方向前側に位置した開閉部材２５の前方にある塵を吸塵開口３７に良好に吸込むことができると共に、移動方向後側に位置した開閉部材２４により被掃除面Ｆを拭き掃除しつつ、本体内空間部２１ａの負圧の減衰を抑制して移動方向前方からの吸塵力を高めることができる。
【００４９】
すなわち、吸込み口体２０の進退に連動して開閉部材２４、２５を反転させることにより、吸込み口体２０の前進時にも後退時にも、その進行方向前側からの塵の吸込みと、吸塵された跡の拭き掃除とができる。そして、両開閉部材２４、２５の反転動作は、これらの部材２４、２５に被着した反転付与部材４７と被掃除面Ｆとの抵抗を利用してなされるので、反転させるためのセンサや駆動機器等を要することなく、極めて簡単な構成で実現できる。
【００５０】
以上の動作は被掃除面Ｆがフローリング床でも絨毯でも可能である。ところで、毛足の長い絨毯を掃除する場合、吸込み口体２０の前部が絨毯に沈みこむことは、吸込み口本体２１の前部に配置された開閉部材２４の断面円形状部分５３及びこれより大きい抵抗低減体４８と毛足との接触により十分に抑制可能である。この場合、断面円形状部分５３に被着された反転付与部材４７及び抵抗低減体４８は、吸込み口体２０を絨毯に沿って押し引きする際の抵抗となる。
【００５１】
しかし、吸込み口本体２１前部の沈み込み抑制を主として担っている抵抗低減体４８は回転自由なローラであるから、吸込み口体２０を絨毯に沿って押し引きする際の抵抗を低減できる。その上、反転付与部材４７の絨毯に対する接触面積は抵抗低減体４８に比較して遥かに小さい。なお、同様に、吸込み口本体２１の後部の沈み込みも後側開閉部材２５によって抑制される。
【００５２】
このため、開閉部材２４の断面円形状部分５３及び抵抗低減体４８によって、前記沈み込みを十分に抑制できるにも拘らず、吸込み口体２０を絨毯に沿って押し引きする際の抵抗が低減されて、吸込み口体２０を絨毯に沿って軽く前後移動させることができる。
【００５３】
又、吸込み口体２０をフローリング床に沿って前後移動させる場合、抵抗低減体４８は、断面円形状部分５３に被着された反転付与部材４７の表面より下がっているので、フローリング床には接触しない。これにより、抵抗低減体４８が反転付与部材４７による本体４６の反転動作を妨げることがない。しかも、抵抗低減体４８の外周面をなしている軟質材料層４８ａがフローリング床を擦って、抵抗となることがないから、吸込み口体２０をフローリング床に沿って軽く前後移動させることができる。
【００５４】
なお、第１実施形態では、一対の第２の通気部５０ｂが本体４６の長手方向両端部に設けられていて、これらの通気部５０ｂを通る空気が、この吸込み口本体２１の軸受部の近傍を通過するので、軸受部に塵が付着することを防止可能である。更に、断面円形状部分５３及び抵抗低減体４８が本体４６の軸方向両端部に寄せて夫々設けられていて、本体４６の軸方向中央部には通気部５０ｂが設けられているので、これらと吸込み口本体２１の幅方向中央部に位置する筒部３１ａとの位置関係により、断面円形状部分５３及び抵抗低減体４８が吸塵の邪魔となることが少なく、したがって、吸塵し易い。
【００５５】
図７は本発明の第２実施形態を示している。この実施形態は基本的には第１実施形態と同じ構成であるので、同一構成部分には第１実施形態と同一符号を付して、その構成および作用の説明を省略し、以下異なる部分について説明する。
【００５６】
第２実施形態では、前後の開閉部材２４、２５の内の少なくとも前側開閉部材２４が図７に示すように形成されている。すなわち、開閉部材２４は、その本体４６の長手方向中央部にローラ製の抵抗低減体４８を設けている。この低減体４８は周面に軟質材料層４８ａを有している。更に、開閉部材２４は、ローラ製抵抗低減体４８をその軸方向両側から挟むように設けられた断面円形状部分５３と、本体４６の長手方向両端に位置する端板５６と、これら断面円形状部分５３及び端板５６にわたるブリッジ部５７とを備えている。ブリッジ部５７とこれに対向する断面Ｄ字状部分５１との間には、断面円形状部分５３及び端板５６で長手方向両端を閉じられた通気部５０が夫々形成されている。この開閉部材２４は、その長手方向両端の取付け軸部５５を吸込み口体本体の軸受部に支持させることによって、吸込み口の前後移動に連動して反転自在に吸込み口本体に取付けられて使用される。
【００５７】
以上説明した以外の構成は、図７に示されない部分を含めて第１実施形態と同じである。なお、第２実施形態においてブリッジ部５７は省略できる。
【００５８】
したがって、この第２実施形態でも図７に示した開閉部材２４を備えることで、第１実施形態と同様な作用を得て、本発明の課題を解決できる。なお、第２実施形態では、断面円形状部分５３及び抵抗低減体４８が本体４６の軸方向中央部に設けられているので、これと吸込み口本体の幅方向中央部に位置する筒部との位置関係により、吸気負圧によって本体４６の軸方向中央部が変形することを防止できる点で好ましい。
【００５９】
本発明は前記両実施形態には制約されない。例えば、吸込み口本体２１の後部に配置された開閉部材２５及びこれを取付ける第２配置部４２は用いなくてもよい。又、抵抗低減体４８をローラ製とすることは、その表面が荒れても絨毯との抵抗を大きく低減する機能を維持できる点で優れている。しかし、これに代えて自らの回転ができない抵抗低減体を用いることが可能であリ、この場合、抵抗低減体の表面に滑性の高い四弗化エチレン樹脂等の滑り層を設けて実施するとよい。又、抵抗低減体及び断面円形状部分の数は任意に設定可能である。更に、本発明の吸込み口体は、キャニスタ型の電気掃除機だけではなく、例えばステック型その他種々の形式の電気掃除機の吸込み口体として実施できる。
【００６０】
【発明の効果】
本発明によれば、吸込み口本体の移動方向前方の塵を吸塵しつつ絨毯上を軽く移動させて掃除することが可能な吸込み口体及びこの吸込み口体を備えた電気掃除機を提供できる。
【図面の簡単な説明】
【図１】本発明の第１実施形態に係る電気掃除機を示す斜視図。
【図２】図１の電気掃除機が備える吸込み口体を被掃除面に沿って前進させた時の吸込み口体を示す断面図。
【図３】図１の電気掃除機が備える吸込み口体を被掃除面に沿って後退させた時の吸込み口体を示す断面図。
【図４】図１の電気掃除機が備える吸込み口体を被掃除面に沿って前進させた時の吸込み口体を示す下面図。
【図５】図１の電気掃除機が備える吸込み口体を被掃除面に沿って後退させた時の吸込み口体を示す下面図。
【図６】（Ａ）は図１の電気掃除機が備える吸込み口体の開閉部材を示す斜視図。（Ｂ）は図６（Ａ）の開閉部材を示す縦断面図。
【図７】本発明の第２実施形態に係る電気掃除機が備える吸込み口体の開閉部材を示す斜視図。
【符号の説明】
１…電気掃除機、２…掃除機本体、３…電動送風機、４…集塵部、Ｆ…被掃除面、２０…吸込み口体２０…吸込み口本体、２４…開閉部材、３７…吸塵開口、４６…開閉部材本体、４７…反転付与部材、５０、５０ａ、５０ｂ…通気部、４８…抵抗低減体、４８ａ…軟質部材、５１、５２…断面Ｄ字状部分、５３…断面円形状部分
【図１】
2004350763.tif 000003
【図２】
2004350763.tif 000004
【図３】
2004350763.tif 000005
【図４】
2004350763.tif 000006
【図５】
2004350763.tif 000007
【図６】
2004350763.tif 000008
【図７】
2004350763.tif 000009